(57)【要約】【課題】自動文書送り装置を提供する。【解決手段】自動文書送り装置は、走査モジュールおよび透明基板を含む事務機器とともに使用される。自動文書送り装置は、本体、弓形板および複数の弾性押さえ部材を含む。弓形板は、本体に固定され、複数の突出部および複数の開口部を含む。突出部は、弓形板と紙がそれを通って運ばれることを可能にするための透明基板の間の空隙の形を定めるために、透明基板の表面に接触して維持される。弾性押さえ部材には、弓形板に連結する第一端部があり、対応する開口部を通って部分的に侵入する第二端部がある。弾性押さえ部材は、物体のスキャン区域が透明基板と密着して、走査モジュールの走査線によってスキャンされるように、空隙を通過する物体を押し付けるために互い違いの形に配置される。【選択図】図３ａ
2008295021.tif 000002
【特許請求の範囲】
【請求項１】
物体をスキャンする事務機器とともに使用するための自動文書送り装置であり、前記事務機器は走査モジュールおよび透明基板を含み、前記走査モジュールは前記透明基板の下に配置され、走査線がある自動文書送り装置であって、
本体と、
前記本体上に固定され、複数の突出部および複数の開口部を含む弓形板と、そこで前記突出部は前記弓形板と紙がそれを通って運ばれることを可能にするための前記透明基板の間の空隙の形を定めるために、前記透明基板の表面に接触して維持され、前記開口部は、前記空隙と連通しており、
前記弓形板に連結する第一端部があり、前記の対応する開口部を通って部分的に侵入する第二端部がある複数の弾性押さえ部材を備え、そこで前記物体のスキャン区域が透明基板と密着して、前記走査モジュールの前記走査線によってスキャンされるように、前記空隙を通過する前記物体を押し付ける前記弾性押さえ部材は互い違いに配置されることを特徴とする物体をスキャンする事務機器とともに使用するための自動文書送り装置。
【請求項２】
前記事務機器はスキャナーであり、前記物体は紙シートであり、前記透明基板はガラス物質で作られていることを特徴とする請求項１に記載の自動文書送り装置。
【請求項３】
前記弓形板はＵ字形であることを特徴とする請求項１に記載の自動文書送り装置。
【請求項４】
前記弾性押さえ部材は、それぞれ曲がった部分がある弾性薄片であり、それは互い違いに配置され、前記物体を押さえつけるために前記開口部を通って部分的に侵入するにことを特徴とする請求項１に記載の自動文書送り装置。
【請求項５】
前記開口部は、互い違いに配置され、前記弾性押さえ部材は、前記物体を押さえつけるために前記開口部を通って部分的に侵入するローラーであることを特徴とする請求項１に記載の自動文書送り装置。
【請求項６】
前記突出部は、Ｕ字形スティックであることを特徴とする請求項１に記載の自動文書送り装置。
【請求項７】
物体をスキャンするための事務機器であって、
透明基板と、
前記透明基板の下に配置される走査線のある走査モジュールおよび、
自動文書送り装置を備え、
その自動文書送り装置は、
本体と、
前記本体上に固定され、複数の突出部および複数の開口部を含む弓形板と、そこで前記突出部は前記弓形板と紙がそれを通って運ばれることを可能にするための前記透明基板の間の空隙の形を定めるために、前記透明基板の表面に接触して支えられ、前記開口部は、前記空隙と連通しており、
前記弓形板に連結する第一端部があり、前記対応する開口部を通って部分的に侵入する第二端部がある複数の弾性押さえ部材を備え、そこで前記物体のスキャン区域が透明基板と密着して、前記走査モジュールの前記走査線によってスキャンされるように、前記空隙を通過する前記物体を押し付ける前記弾性押さえ部材は互い違いに配置されることを特徴とする物体をスキャンする事務機器とともに使用するための自動文書送り装置。
【発明の詳細な説明】
【技術分野】
【０００１】
本発明は、自動文書送り装置に関し、特に事務機器とともに使用するための自動文書送り装置に関する。本発明はまた、当該自動文書送り装置のある事務機器にも関する。
【背景技術】
【０００２】
電子産業の急速な発展につれて、プリンター、ファクシミリ装置、コピー機またはスキャナーなどの多様な事務機器は、オフィスの不可欠な装置となる。例えば、イメージスキャナーは、物体をスキャンするために広く使用されている。スキャンした文書の画像は、画像ファイルに変換され、その画像ファイルは、コンピューターに保存されることができるか、またはそのコンピューターによってさらに処理されることができる。イメージスキャナーの操作中に、光源によって発せられる光は、スキャンされる物体に投射され、その物体から反射される光は、次に走査モジュールに伝送され、スキャニングを完了するために、電荷結合素子（ＣＣＤ）などの撮像装置によって処理される。なおその上に、スキャンした物体から反射される光信号は、コンピューターによってさらに処理される対応するデジタル信号に変換される。
【０００３】
最近、自動文書送り装置（ＡＤＦ）は、多数の紙シートを連続してスキャンするために、普通イメージスキャナーに組み込まれている。自動文書送り装置のあるイメージスキャナーはまた、給紙スキャナーといわれる。自動文書送り装置は、スキャニング操作を実行するために、給紙スキャナーの走査モジュールを超えて紙シートを連続して運ぶ可能性がある。自動的に紙シートを供給するこの手段は、時間の節約でもあり、効率も良い。
【０００４】
図１を参照すると、従来の給紙スキャナーの概略断面図が図示される。図１に示めされるように、給紙スキャナー１０は、主として自動文書送り装置１０１、ガラス台１０２および走査モジュール１０３を備える。自動文書送り装置１０１には、その底部にU字形プレート１０１１がある。U字形プレート１０１１とガラス台１０２の間、すなわち自動文書送り装置１０１の底部とガラス台１０２の間に空隙がある。スキャンされる物体１０４（例えば、紙シート）が空隙Ｇを通過するとき、物体１０４は、走査モジュール１０３の走査線１０５によってスキャンされる。
【０００５】
通例、物体１０４がU字形プレート１０１１とガラス台１０２の間を通過するとき、この物体１０４が非常に薄いので、物体１０４は、容易に上向きに曲げられ、空隙Ｇで動かされる。物体１０４が、走査線１０５を通過するとき、ガラス台１０２上で平らにならない場合、給紙スキャナーの走査特性は悪影響を受ける。空隙Ｇを通過するとき、物体が立ち上がるのを防ぐために、給紙スキャナーは改良されることが望ましい。
【０００６】
図２ａは、別の従来の給紙スキャナーを説明する概略部分斜視図である。明確化するために、ピックアップ・ローラー組立品２０、数枚の押さえ薄片２１、スキャンされる物体２２および走査モジュール２３が図に示される。図２ａに示されるように、ピックアップ・ローラー組立品２０は、複数のローラーを含む。押さえ薄片２１は、ピックアップ・ローラー組立品２０の２つの隣り合ったローラー毎の間に配置される。いったんピックアップ・ローラー組立品２０が物体２２を自動文書送り装置の底部とガラス台（図示せず）の間の空隙に運ぶと、物体２２は、押さえ薄片２１によって押され、ガラス台に平らになる。走査モジュール２３の走査線２４を通過するとき、物体２２がガラス台上に平らに置かれるので、給紙スキャナーの走査特性は改良される。
【０００７】
押さえ薄片２１が物体の立ち上がりを防ぐ可能性があるが、まだ若干の難点がある。例えば、図２ａに示されるように、押さえ薄片２１の先端は、同一線上に配置される。つまり、物体２２には、押さえ薄片２１の先端によって構成される線と重複する想像線２２１がある。理想を言えば、想像線２２１は、走査モジュール２３の走査線２４と一直線を成している。給紙スキャナーの走査モジュールに製造ミスがあるか、または強い衝撃を受ける場合、走査モジュール２３の走査線２４は、ことによると場所を変更されるかもしれない。このような状況では、想像線２２１は、図２ｂに示されるように、走査モジュール２３の走査線２４とは、もはや一直線を成していない可能性がある。その結果、給紙スキャナーの走査特性は、大いに劣化する。なおその上に、押さえ薄片２１の下へ押す力を制御することが難しいので、押さえ薄片２１は不都合である。
【０００８】
その結果、上記の先行技術の不都合の原因を克服するために、自動文書送り装置および当該自動文書送り装置のある事務機器を提供する必要性がある。
【発明の開示】
【発明が解決しようとする課題】
【０００９】
弾性押さえ部材のある自動文書送り装置を提供することが、本発明の目的であり、その部材は、空隙を通過する物体を押し付けるために互い違いの形に配置され、その結果物体のスキャン区域は、透明基板と密着して、走査モジュールの走査線によってスキャンされる。
【００１０】
本発明の別の目的は、走査特性を向上させるために、当該自動文書送り装置のある事務機器を提供することである。
【課題を解決するための手段】
【００１１】
本発明の一態様に従って、物体をスキャンする事務機器とともに使用するための自動文書送り装置が提供される。事務機器は、走査モジュールおよび透明基板を含む。走査モジュールは、透明基板の下に配置され、走査線がある。自動文書送り装置は、本体、弓形板および複数の弾性押さえ部材を含む。弓形板は、本体上に固定され、複数の突出部および複数の開口部を含む。突出部は、弓形板と紙がそれを通って運ばれることを可能にするための透明基板の間の空隙を明確に定めるために、透明基板の表面に接触して支えられる。開口部は、空隙と連通している。弾性押さえ部材には、弓形板に連結する第一端部があり、対応する開口部を通って部分的に侵入する第二端部がある。弾性押さえ部材は、物体のスキャン区域が透明基板と密着して、走査モジュールの走査線によってスキャンされるように、空隙を通過する物体を押し付けるために互い違いの形に配置される。
【００１２】
なるべくなら、透明基板はガラス物質で作られていることが望ましい。
【００１３】
なるべくなら、弓形板はＵ字形であることが望ましい。
【００１４】
一実施形態においては、弾性押さえ部材は、それぞれ曲がった部分のある弾性薄片であり、その薄片は互い違いの形に配置され、物体を押さえつけるために、開口部を通って部分的に侵入する。
【００１５】
一実施形態においては、開口部は互い違いの形に配置され、弾性押さえ部材は物体を押さえつけるために開口部を通って部分的に侵入するローラーである。
【００１６】
なるべくなら、物体は紙シートであることが望ましい。
【００１７】
一実施形態においては、突出部はＵ字形のスティックである。
【００１８】
なるべくなら、事務機器はスキャナーであることが望ましい。
【００１９】
本発明の別の態様に従って、物体をスキャンする事務機器が提供される。事務機器は、透明基板、走査モジュールおよび自動文書送り装置を含む。走査モジュールは、透明基板の下に配置され、走査線がある。自動文書送り装置は、本体、弓形板および複数の弾性押さえ部材を含む。弓形板は、本体上に固定され、複数の突出部および複数の開口部を含む。突出部は、弓形板と紙がそれを通って運ばれることを可能にするための透明基板の間の空隙の形を定めるために、透明基板の表面に接触して支えられる。開口部は、空隙と連通している。弾性押さえ部材には、弓形板に連結する第一端部があり、対応する開口部を通って部分的に侵入する第二端部がある。弾性押さえ部材は、物体のスキャン区域が透明基板と密着して走査モジュールの走査線によってスキャンされるように、空隙を通過する物体を押し付けるために互い違いの形に配置される。
【００２０】
本発明の上記の内容は、以下の詳細な説明および添付図面を精査した後、当業者にはとっては、より容易に明白となるであろう。
【発明を実施するための最良の形態】
【００２１】
本発明は、これから以下の実施形態を参照して、より明確に説明される。本発明の好適な実施形態の以下の説明は、図示および説明目的のみで本明細書に提示されることに留意しなくてはならない。それは、包括的または開示される厳密な形式に限定されることを目的としていない。
【００２２】
以下で、本発明の事務機器は、給紙スキャナーを参照することによって説明される。前述にかかわらず、本発明は、プリンター、ファクシミリ装置、コピー機または多機能周辺機器などの他の事務機器に応用される可能性がある。
【００２３】
図３ａは、本発明の第一の好適な実施形態による事務機器を説明する概略底面図である。図３ｂは、図３ａの給紙スキャナーで使用される弓字板および複数の弾性押さえ部材を説明する概略斜視図である。図３ｃは、透明基板および走査モジュールに加えて線Ａ−Ａからの図３ａの給紙スキャナーの概略断面図である。
【００２４】
図３ａ、図３ｂおよび図３ｃを参照してください。給紙スキャナーは、主として自動文書送り装置３１、透明基板３２（例えば、ガラス台）および走査モジュール３３を備える。自動文書送り装置３１によって、物体３４（例えば、紙シート）は、走査モジュール３３によってスキャンされるように、給紙スキャナーの内部に送り込まれる可能性がある。
【００２５】
この実施形態においては、透明基板３２は、ガラスなどの透明素材で作られている。走査モジュール３３は、透明基板３２の下に配置され、その上に走査線３３１がある。給紙スキャナーの操作中に、光源から発せられる光は、紙シート３４に投射され、紙シート３４から反射される光は、その後走査モジュール３３に伝送され、スキャニングを完了するために、電荷結合素子（ＣＣＤ）などの撮像装置によって処理される。
【００２６】
自動文書送り装置３１は、透明基板３２および走査モジュール３３の上方に配置される。自動文書送り装置３１は、主として本体３１１、弓形板３１２および複数の弾性押さえ部材３１５を備える。弓形板３１２は、本体３１１上に固定される。２つの突出部は弓形板３１２の底部３１２１の両側から突き出ていて、透明基板３２の表面に接触して支えられる。結果として、空隙Ｈは、弓形板３１２１の底部３１２と透明基板３２の間で形を定められる。操作モジュール３３の走査線３３１は、弓形板３１２の底部３１２１の下に位置する。いったんピックアップ・ローラー組立品（図示せず）が空隙Ｈに紙シート３４を運ぶと、紙シート３４は、走査モジュール３３の走査線３３１によってスキャンされる。スキャン完了後、紙シート３４は、イジェクト・ローラー組立品（図示せず）によって自動文書送り装置３１から取り出される。
【００２７】
なおその上に、弓形板３１２の底部３１２１には、これら２つの突出部３１３の間にいくつかの開口部３１４がある。これらの開口部３１４は、それぞれの弾性押さえ部材３１５を入れるために使用される。この実施形態においては、弾性押さえ部材３１５は、弾性薄片である。各弾性薄片３１５の第一端部は、弓形板３１２の内壁に接合される。各弾性薄片３１５の第二端部は、遊離端であり、上方または下方に動かすことができる。各弾性薄片３１５には、紙シート３４に接触して支えられるように、開口部３１４を通って突き出る曲がった部分３１５１がある。本発明の特徴に従って、これらの弾性薄片３１５の曲がった部分３１５１は、一列になるよりはむしろ互い違いの形に配置される。結果として、紙シート３４のスキャン区域３１６は、紙シート３４が空隙Ｈを越えて運ばれるとき、ガラス台３２上で平らになるように、これらの弾性薄片３１５の曲がった部分３１５１によって押し付けられる。
【００２８】
自動文書送り装置３１のピックアップ・ローラー組立品（図示せず）が紙シート３４を弓形板３１２の底部３１２１と透明基板３２の間の空隙Ｈに運ぶとき、弾性薄片３１５は、紙シート３４の厚みのせいでわずかに持ち上がる。なおその上に、紙シート３４はまた、紙シート３４のスキャン区域３１６が透明基板３２上で平らになるように、弾性薄片３１５の重さによって押さえつけられる。
【００２９】
前述のとおり、走査モジュールの走査線は、走査モジュールに製造ミスがあるか、または強い衝撃を受ける場合、ことによると移動されるかもしれない。本発明によると、透明基板３２と直接接する紙シート３４のスキャン区域３１６がいくつかの非線形点（すなわち、曲がった部分３１５１）によって構成される平面であるので、走査線の極小さな、または中位の移動は、走査特性へ与える影響を最小限度に抑えてきた。
【００３０】
上記実施形態においては、突出部３１３は、Ｕ字形のスティックである。突出部３１３は、弓形板の底部と透明基板の間の空隙Ｈの形を定めるために、透明基板の表面に接触して支えられる限りでは、どんな形状でもよい。なおその上に、弓形板３１２は、Ｕ字形板である。弓形板３１２は、紙シート３４が通過するための空隙の形を定めるために、透明基板３２と連携する限りでは、どんな形状でもよい。
【００３１】
図４ａは、本発明の第二の好適な実施形態による事務機器の概略底面図である。図４ｂは、図４ａの給紙スキャナーで使用される弓字板および複数の弾性押さえ部材を説明する概略斜視図である。自動文書送り装置４１は、透明基板（図示せず）および走査モジュール（図示せず）の上方に配置される。自動文書送り装置４１は、主として本体４１１、弓形板４１２および複数の弾性押さえ部材４１５を備える。２つの突出部４１３は、弓形板４１２の底部の両側から突き出ていて、透明基板の表面に接触して維持される。結果として、空隙（図示せず）は、弓形板４１２の底部と透明基板の間で形を定められる。本体４１１、弓形板４１２、突出部４１３、透明基板および走査モジュールの間の関係は、図４に示される関係と同一であり、本書では重複して説明されない。
【００３２】
なおその上に、弓形板４１２の底部には、これらの２つの突出部４１３の間にいくつかの開口部４１４がある。特に、これらの開口部４１４は、一列になるよりはむしろ互い違いの形に配置される。とりわけ、弾性押さえ部材４１５はローラーである。各ローラーの両側は、弾力性のある固定要素４１７を経て対応する開口部４１４の周辺に固定される。ローラー４１５は、上方または下方に動かすことができ、空隙を通過する紙シートに接触して維持される。開口部４１４が互い違いに配置されるので、これらのローラー４１５もまた、互い違いに配置される。
【００３３】
自動文書送り装置４１のピックアップ・ローラー組立品が紙シートを弓形板４１２の底部と透明基板の間の空隙に運ぶとき、ローラー４１５は、紙シートの厚みのせいでわずかに持ち上がる。なおその上に、紙シートはまた、紙シートのスキャン区域４１６が透明基板上で平らになるように、ローラー４１５の重さによって押さえつけられもする。
【００３４】
本発明の自動文書送り装置の上記の説明から、スキャンされる物体が互い違いの弾性押さえ部材によって押し付けられるので、透明基板と直接接する物体のスキャン区域は、いくつかの非線形点によって構成される平面である。結果として、走査線の極小さな、または中位の移動は、走査特性への影響を最小限度に抑えてきた。
【００３５】
現在最も実用的で好適な実施形態とみなされているものに関して、本発明は説明されてきたが、本発明は開示される実施形態に限定される必要はないことが理解されなくてはならない。それどころか、すべての当該修正および同様の構成を網羅するように、最も広範な解釈と一致する添付される請求項の精神および範囲内に含まれるさまざまの修正および同様の配列を含むことを目的としている。
【図面の簡単な説明】
【００３６】
【図１】従来の給紙スキャナーの概略断面図である。
【図２ａ】別の従来の給紙スキャナーを説明する概略部分透視図である。
【図２ｂ】図２ａの給紙スキャナーの走査線の移動を図式的に説明する。
【図３ａ】本発明の第一の好適な実施形態による事務機器の概略底面図である。
【図３ｂ】図３ａの給紙スキャナーで使用される弓字板および複数の弾性押さえ部材を説明する概略斜視図である。
【図３ｃ】透明基板および走査モジュールに加えて線Ａ−Ａからの図３ａの給紙スキャナーの概略断面図である。
【図４ａ】本発明の第二の好適な実施形態による事務機器の概略底面図である。
【図４ｂ】図４ａの給紙スキャナーで使用される弓字板および複数の弾性押さえ部材を説明する概略斜視図である。
【符号の説明】
【００３７】
１０      給紙スキャナー
１０１    自動文書送り装置
１０２    ガラス台
１０３    走査モジュール
１０４    物体
１０５    走査線
１０１１  U字形プレート
２０      ピックアップ・ローラー組立品
２１      押さえ薄片
２２      物体
２３      走査モジュール
２４      走査線
２２１    想像線
３１      自動文書送り装置
３２      透明基板
３３      操作モジュール
３４      紙シート
３１１    本体
３１２    弓形板
３１３    突出部
３１４    開口部
３１５    弾性薄片
３１６    スキャン区域
３３１    走査線
３１２１  底部
３１５１  曲がった部分
４１      自動文書送り装置
４１１    本体
４１２    弓形板
４１３    突出部
４１４    開口部
４１５    ローラー
４１６    スキャン区域
４１７    固定要素
【図１】
2008295021.tif 000003
【図２ａ】
2008295021.tif 000004
【図２ｂ】
2008295021.tif 000005
【図３ａ】
2008295021.tif 000006
【図３ｂ】
2008295021.tif 000007
【図３ｃ】
2008295021.tif 000008
【図４ａ】
2008295021.tif 000009
【図４ｂ】
2008295021.tif 000010
【外国語明細書】
2008295021.tif 000011
2008295021.tif 000012
2008295021.tif 000013
2008295021.tif 000014
2008295021.tif 000015
2008295021.tif 000016
2008295021.tif 000017
2008295021.tif 000018
2008295021.tif 000019
2008295021.tif 000020
2008295021.tif 000021
2008295021.tif 000022
2008295021.tif 000023
2008295021.tif 000024
2008295021.tif 000025
2008295021.tif 000026
2008295021.tif 000027
2008295021.tif 000028
2008295021.tif 000029
2008295021.tif 000030
2008295021.tif 000031
2008295021.tif 000032